【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
画像を形成する画像形成手段と、
前記画像形成手段により形成された画像を測定する測定手段と、
前記画像形成手段により単色の記録剤を用いて形成された単色の画像を前記測定手段により測定し、該測定の結果を用いて前記画像形成手段が形成する単色画像の再現特性を補正するためのデータを生成する単色キャリブレーションの実行と、
前記画像形成手段により複数の記録剤を用いて形成された混色の画像を前記測定手段により測定し、該測定の結果を用いて前記画像形成手段が形成する混色画像の再現特性を補正するためのデータを生成する混色キャリブレーションの実行とを制御する制御手段と、
前記制御手段により前記単色キャリブレーションを実行させるか前記混色キャリブレーションを実行させるか選択する選択手段と、
前記選択手段により前記混色キャリブレーションを実行させるように選択された場合、前記制御手段により前記混色キャリブレーションが実行される前に、前記制御手段により前記単色キャリブレーションを実行させるか否かを問い合わせるための画面を表示させる表示制御手段と、を有することを特徴とする画像処理装置。
【請求項２】
前記選択手段により前記単色キャリブレーションが選択され、前記制御手段により前記単色キャリブレーションが実行された後に、前記表示制御手段により、前記制御手段により前記混色キャリブレーションを実行させるか否かを問い合わせるための画面を表示させることを特徴とする請求項１に記載の画像処理装置。
【請求項３】
前記選択手段により前記混色キャリブレーションが選択され、前記制御手段により前記単色キャリブレーションが実行されずに前記混色キャリブレーションが実行された回数が閾値より多い場合は、前記制御手段により前記混色キャリブレーションが実行される前に、前記表示制御手段により、前記制御手段により前記単色キャリブレーションを実行させることを促すための画面を表示させることを特徴とする請求項１に記載の画像処理装置。
【請求項４】
前記選択手段により前記単色キャリブレーションが選択され、前記制御手段により前記混色キャリブレーションが実行されずに前記単色キャリブレーションが実行された回数が閾値より多い場合は、前記表示制御手段により、前記制御手段により前記単色キャリブレーションが実行された後に前記制御手段により前記混色キャリブレーションを実行させることを促すための画面を表示させることを特徴とする請求項１に記載の画像処理装置。
【請求項５】
前記選択手段により前記混色キャリブレーションが選択され前記制御手段により前記混色キャリブレーションが実行される前に、前記表示制御手段により、前記制御手段により前記単色キャリブレーションを実行させるべきか否かを判断するために用いられる情報を画面に表示させることを特徴とする請求項１に記載の画像処理装置。
【請求項６】
前記制御手段により前記単色キャリブレーションを実行させるべきか否かを判断するために用いられる情報は、前記選択手段により前記単色キャリブレーションが選択され前記制御手段により前記単色キャリブレーションが実行された後に、前記制御手段により実行された前記混色キャリブレーションの回数であることを特徴とする請求項５に記載の画像処理装置。
【請求項７】
前記制御手段により前記単色キャリブレーションまたは前記混色キャリブレーションが実行された後にプリント出力した枚数のうち、単色のプリントを実行する際にプリント出力した枚数の比率が閾値より低い場合、前記表示制御手段により、前記制御手段による前記混色キャリブレーションの実行を促すための画面を表示させることを特徴とする請求項１に記載の画像処理装置。
【請求項８】
前記選択手段は、前記制御手段により前記単色のキャリブレーションを実行させるか前記混色のキャリブレーションを実行させるか前記単色のキャリブレーションが実行された後に前記混色のキャリブレーションを順に実行させるかのいずれかを選択することを特徴とする請求項１に記載の画像処理装置。
【請求項９】
前記選択手段は、予め定められた時間ごとに、前記制御手段により前記単色キャリブレーショが実行された後に前記混色キャリブレーションを順に実行することのみ選択できるように制御されることを特徴とする請求項８に記載の画像処理装置。
【請求項１０】
前記選択手段は、予め定められた枚数の用紙を用いて印刷が実行されるごとに、前記制御手段により前記単色キャリブレーショが実行された後に前記混色キャリブレーションを順に実行することのみ選択できるように制御されることを特徴とする請求項８に記載の画像処理装置。
【請求項１１】
前記選択手段は、当該画像処理装置の電源が投入されてから所定の時間が経過するまでは、前記制御手段により前記単色キャリブレーショが実行された後に前記混色キャリブレーションを順に実行することのみ選択できるように制御されることを特徴とする請求項８に記載の画像処理装置。
【請求項１２】
画像を形成する画像形成手段と、
前記画像形成手段により形成された画像を測定する測定手段を有する画像処理装置の制御方法であって、
前記画像形成手段により単色の記録剤を用いて形成された単色の画像を前記測定手段により測定し、該測定の結果を用いて前記画像形成手段が形成する単色画像の再現特性を補正するためのデータを生成する単色キャリブレーションの実行と、
前記画像形成手段により複数の記録剤を用いて形成された混色の画像を前記測定手段により測定し、該測定の結果を用いて前記画像形成手段が形成する混色画像の再現特性を補正するためのデータを生成する混色キャリブレーションの実行とを制御する制御ステップと、
前記制御ステップにて前記単色キャリブレーションを実行させるか前記混色キャリブレーションを実行させるか選択する選択ステップと、
前記選択ステップにて前記混色キャリブレーションを実行させるように選択された場合、前記制御ステップにて前記混色キャリブレーションが実行される前に、前記制御ステップにて前記単色キャリブレーションを実行させるか否かを問い合わせるための画面を表示させる表示制御ステップと、を有することを特徴とする画像処理装置の制御方法。
【請求項１３】
前記選択ステップにて前記単色キャリブレーションが選択され、前記制御ステップにて前記単色キャリブレーションが実行された後に、前記表示制御ステップでは、前記制御ステップにて前記混色キャリブレーションを実行させるか否かを問い合わせるための画面を表示させることを特徴とする請求項１２に記載の画像処理装置の制御方法。
【請求項１４】
前記選択ステップにて前記混色キャリブレーションが選択され、前記制御ステップにて前記単色キャリブレーションが実行されずに前記混色キャリブレーションが実行された回数が閾値より多い場合は、前記制御ステップにより前記混色キャリブレーションが実行される前に、前記表示制御ステップでは、前記制御ステップにより前記単色キャリブレーションを実行させることを促すための画面を表示させることを特徴とする請求項１２に記載の画像処理装置の制御方法。
【請求項１５】
前記選択ステップにて前記単色キャリブレーションが選択され、前記制御ステップにて前記混色キャリブレーションが実行されずに前記単色キャリブレーションが実行された回数が閾値より多い場合は、前記制御ステップにより前記単色キャリブレーションが実行された後に、前記表示制御ステップでは、前記制御ステップにより前記混色キャリブレーションを実行させることを促すための画面を表示させることを特徴とする請求項１２に記載の画像処理装置の制御方法。
【請求項１６】
前記選択ステップにて前記混色キャリブレーションが選択され前記制御ステップにて前記混色キャリブレーションが実行される前に、前記表示制御ステップでは、前記制御ステップにより前記単色キャリブレーションを実行させるべきか否かを判断するために用いられる情報を画面に表示させることを特徴とする請求項１２に記載の画像処理装置の制御方法。
【請求項１７】
前記制御ステップにより前記単色キャリブレーションを実行させるべきか否かを判断するために用いられる情報は、前記選択ステップにより前記単色キャリブレーションが選択され、前記制御ステップにより前記単色キャリブレーションが実行された後に、前記制御ステップにより実行された前記混色キャリブレーションの回数であることを特徴とする請
求項１６に記載の画像処理装置の制御方法。
【請求項１８】
前記制御ステップにより前記単色キャリブレーションまたは前記混色キャリブレーションが実行された後にプリント出力した枚数のうち、単色のプリントを実行する際にプリント出力した枚数の比率が閾値より低い場合、前記表示制御ステップでは、前記制御ステップによる前記混色キャリブレーションの実行を促すための画面を表示させることを特徴とする請求項１２に記載の画像処理装置の制御方法。
【請求項１９】
前記選択ステップでは、前記制御ステップにて前記単色のキャリブレーションを実行させるか前記混色のキャリブレーションを実行させるか前記単色のキャリブレーションが実行された後に前記混色のキャリブレーションを順に実行させるかのいずれかを選択することを特徴とする請求項１２に記載の画像処理装置の制御方法。
【請求項２０】
前記選択ステップでは、予め定められた時間ごとに、前記制御ステップにて前記単色キャリブレーショが実行された後に前記混色キャリブレーションを順に実行することのみ選択できるように制御されることを特徴とする請求項１９に記載の画像処理装置の制御方法。
【請求項２１】
前記選択ステップでは、予め定められた枚数の用紙を用いて印刷が実行されるごとに、前記制御ステップにて前記単色キャリブレーショが実行された後に前記混色キャリブレーションを順に実行することのみ選択できるように制御されることを特徴とする請求項１９に記載の画像処理装置の制御方法。
【請求項２２】
前記選択ステップでは、当該画像処理装置の電源が投入されてから所定の時間が経過するまでは、前記制御ステップにて前記単色キャリブレーショが実行された後に前記混色キャリブレーションを順に実行することのみ選択できるように制御されることを特徴とする請求項１９に記載の画像処理装置の制御方法。
【請求項２３】
コンピュータに、
画像形成手段により単色の記録剤を用いて形成された単色の画像を測定手段により測定し、該測定の結果を用いて前記画像形成手段が形成する単色画像の再現特性を補正するためのデータを生成する単色キャリブレーションの実行と、
前記画像形成手段により複数の記録剤を用いて形成された混色の画像を前記測定手段により測定し、該測定の結果を用いて前記画像形成手段が形成する混色画像の再現特性を補正するためのデータを生成する混色キャリブレーションの実行とを制御する制御ステップと、
前記制御ステップにて前記単色キャリブレーションを実行させるか前記混色キャリブレーションを実行させるか選択する選択ステップと、
前記選択ステップにて前記混色キャリブレーションを実行させるように選択された場合、前記制御ステップにて前記混色キャリブレーションが実行される前に、前記制御ステップにて前記単色キャリブレーションを実行させるか否かを問い合わせるための画面を表示させる表示制御ステップと、を実行させるためのプログラム。
【手続補正２】
【補正対象書類名】明細書
【補正対象項目名】００１２
【補正方法】変更
【補正の内容】
【００１２】
上記課題を解決するために本発明の画像処理装置は、画像を形成する画像形成手段と、
前記画像形成手段により形成された画像を測定する測定手段と、前記画像形成手段により単色の記録剤を用いて形成された単色の画像を前記測定手段により測定し、該測定の結果を用いて前記画像形成手段が形成する単色画像の再現特性を補正するためのデータを生成する単色キャリブレーションの実行と、前記画像形成手段により複数の記録剤を用いて形成された混色の画像を前記測定手段により測定し、該測定の結果を用いて前記画像形成手段が形成する混色画像の再現特性を補正するためのデータを生成する混色キャリブレーションの実行とを制御する制御手段と、前記制御手段により前記単色キャリブレーションを実行させるか前記混色キャリブレーションを実行させるか選択する選択手段と、  前記選択手段により前記混色キャリブレーションを実行させるように選択された場合、前記制御手段により前記混色キャリブレーションが実行される前に、前記制御手段により前記単色キャリブレーションを実行させるか否かを問い合わせるための画面を表示させる表示制御手段と、を有することを特徴とする。